(57)【要約】  【課題】  筐体を振動器によって大きく振動させられるようにして、振動によるユーザーへの確実な報知が可能な携帯電子機器を提供する。  【解決手段】  報知手段である振動器１２を収容する筐体１に複数の支持点１４Ａ〜１４Ｃを設け、機器本体を被載置面上に置くときに、これらの支持点１４Ａ〜１４Ｃを被載置面に当接させる。振動器１２を、筐体１の内部の前記複数の支持点１４Ａ〜１４Ｃを結ぶ領域ａの外側になる位置に配置する  【選択図】        図４
2006115302.tif 000002
【特許請求の範囲】
【請求項１】
筐体内部に報知手段である振動器を具備する携帯電子機器において、
前記筐体の一面に少なくとも３つの支持点を設けると共に、
前記振動器が、筐体内部のうち前記各支持点を結ぶ領域の外側に位置するように配置したことを特徴とする携帯電子機器。
【請求項２】
前記筐体の一面は略矩形状をなし、前記一面の一端側幅方向中央に第１の支持点を、前記一面の他端側幅方向中央に第２の支持点を、前記一面の一端側幅方向端部に第３の支持点を夫々有すると共に、前記第１及び第２の支持点を結ぶ線分を挟んで前記第３の支持点と反対側に前記振動器を有することを特徴とする請求項１に記載の携帯電子機器。
【請求項３】
前記振動器は、携帯電子機器の重心と前記第３の支持点とを通る平面上に位置するように配置してあることを特徴とする請求項２に記載の携帯電子機器。
【発明の詳細な説明】
【技術分野】
【０００１】
この発明は、携帯電話機や簡易型携帯電話機（ＰＨＳ（登録商標））、ＰＤＡ（Personal Digital Assistants）等の携行可能な携帯電子機器に関し、とりわけ、着信等を知らせる報知手段として振動器を備えた携帯電子機器に関する。
【背景技術】
【０００２】
携帯電話機やＰＤＡ等の携帯電子機器には、着信等を知らせる報知手段として振動器を備えたものがある（例えば、特許文献１参照）。この振動器は、通常、モータの軸に錘が偏心して固定され、モータ駆動による錘の偏心回転によって筐体を振動させるようになっている。
この振動器を用いた報知は、呼び出し音と併せて用いられることもあるが、一般にマナーモードと呼ばれる消音モードにて用いられる。
【特許文献１】特開２００４−７２６２号公報
【発明の開示】
【発明が解決しようとする課題】
【０００３】
ところで、携帯電子機器をマナーモードに設定した状態で机等の被載置物上に置いた際には、携帯電子機器側の載置面が平坦であると、被載置物との接触面積が大きくなり、振動器のモータが駆動したとしても、筐体自体を充分に振動させることができないことがある。
そして、振動器によって筐体を充分に振動させることができないと、着信等をユーザーに確実に知らせることが困難になる。
【０００４】
そこでこの発明は、筐体を振動器によって大きく振動させられるようにして、振動によるユーザーへの確実な報知が可能な携帯電子機器を提供しようとするものである。
【課題を解決するための手段】
【０００５】
上記の課題を解決するために、この発明は、筐体内部に報知手段である振動器を具備する携帯電子機器において、前記筐体の一面に少なくとも３つの支持点を設けると共に、前記振動器が、筐体内部のうち前記各支持点を結ぶ領域の外側に位置するように配置するようにした。
【０００６】
前記筐体の一面は略矩形状をなし、かつ、前記一面の一端側幅方向中央に第１の支持点を、前記一面の他端側幅方向中央に第２の支持点を、前記一面の一端側幅方向端部に第３の支持点を夫々有し、前記第１及び第２の支持点を結ぶ線分を挟んで前記第３の支持点と反対側に前記振動器を有することが望ましい。
【０００７】
前記振動器は、携帯電子機器の重心と前記第３の支持点とを通る平面上に位置するように配置することがさらに望ましい。
【発明の効果】
【０００８】
この発明は、被載置物に接触する少なくとも３つの支持点を筐体に設けることで携帯電子機器を被載置物上に安定して載置できるようにすると共に、筐体内部のうち前記各支持点を結ぶ領域の外側に振動器を配置するようにしたため、報知時には振動器の振動によって筐体を大きく揺らし、ユーザーに対する報知をより確実なものとすることできる。
【発明を実施するための最良の形態】
【０００９】
以下、この発明の一実施形態を、図面を参照して説明する。この発明にかかる携帯電子機器は、携帯電話機や簡易型携帯電話機、ＰＤＡ等の携帯可能な種々の電子機器を含むものであるが、以下の実施形態はこの発明を携帯電話機に適用したものである。
【００１０】
この実施形態の携帯電話機は、図１〜図５に示すように筐体１が縦長の略矩形状に形成されたストレートタイプと呼ばれる筐体構造を持った電話機であり、筐体１は、厚み方向でほぼ半割りとされたフロントケース２とリヤケース３が相互に結合された構造となっている。
【００１１】
フロントケース２の前面には、その中央に数字の入力を行う数字キー４ａ、オフフックボタンとしての通話キー４ｂ、オンフックボタンとしての終話キー４ｃから成る操作キー群が配置されると共に、上端部と下端部に受話部５と送話部６が配置され、さらに下端部の送話部６の近傍には電波状況とバッテリーの残状況を知らせるためのＬＥＤによる発光インジケータ部７及び電源のオン、オフのためのスライドスイッチ１８が配置されている。一方、リヤケース３の背面には、その略下半領域にバッテリー交換用の蓋８が開閉可能に設けられると共に、上端部の左側（フロントケース２の前面から向かって見た場合。）に偏奇した位置にアンテナ収容部９が外側に円弧状に膨出して形成されており、そのアンテナ収容部９にアンテナ１５が収容されている。尚、リヤケース３の背面は完全な偏平面ではなく、図３に示すように幅方向に亙って緩やかに湾曲し、幅方向の中央がその湾曲形状の頂部とされている。
【００１２】
筐体１の内部には、図６に示すようにフロントケース２とリヤケース３に挟み込まれるかたちで、複数の電気・電子部品を実装する回路基板１０が取り付けられると共に、この回路基板１０の下面側（リヤケース３側）の中央付近に略矩形状のバッテリー１１が収納されている。また、筐体１内には、この回路基板１０とバッテリー１１の他、受話用スピーカと送話用マイクロフォン（いずれも図示せず）が収容されると共に、振動器１２が収容されている。尚、受信用スピーカは報知用スピーカとしても機能するようになっている。
【００１３】
振動器１２はモータ１２ａの回転軸に錘が偏心して取り付けられた周知の構造のものであり、モータ１２ａは、リヤケース３側のフレーム部に収容支持され、かつ、図示しないばね端子を介して回路基板１０の背面側の接点パターンに電気的に接続されている。
【００１４】
ところで、この携帯電話機はリヤケース３の背面側を下にして、図５に示すように机等の被載置物１３の上面（以下、「被載置面１３ａ」と呼ぶ。）に置かれるが、リヤケース３の背面側には、被載置面１３ａに置かれたときにその面１３ａに当接する３点の支持点１４Ａ，１４Ｂ，１４Ｃが設けられている。尚、以下では説明の便宜上これを第１支持点１４Ａ、第２支持点１４Ｂ、第３支持点１４Ｃと呼ぶものとする。
【００１５】
図４において、今、リヤケース３のアンテナ１５が配置されている辺を上辺、それと逆側の辺を下辺と呼ぶものとすると、リヤケース３の背面のうちの、上辺近傍の幅方向中央位置には略円弧状に膨出した支持突起１６が形成されている（図３参照）。第１支持点１４Ａは、この支持突起１６の頂部によって構成されている。
【００１６】
一方、第２支持点１４Ｂはリヤケース３の下辺の幅方向中央の膨出した頂部によって構成され、第３支持点１４Ｃは、リヤケース３の上辺一側に位置されているアンテナ収容部９の頂部によって構成されている。
【００１７】
したがって、この実施形態の場合、第１支持点１４Ａと第２支持点１４Ｂはリヤケースの幅方向の中心線ｏ上に配置され、第３支持点１４Ｃは中心線ｏから離れた上辺近傍位置に配置されている。また、この携帯電話機の重心位置Ｇは、３つの支持点１４Ａ〜１４Ｃを結ぶ略三角形の領域ａの内側で、かつ、中心線ｏに充分に近接した位置となっている。
【００１８】
このような支持点１４Ａ〜１４Ｃの配置に対し、振動器１２のモータ１２ａは、筐体１内のうちの前記略三角形の領域ａの外側になる位置、例えば、図４では、重心位置Ｇを中心として第３支持点１４Ｃとほぼ対称になる位置に配置されている。
【００１９】
以上の構成において、この携帯電話機をリヤケース３を下向きにして被載置面１３ａ上に載せ置くと、筐体１は三角形状の各頂点に配置された３つの支持点１４Ａ〜１４Ｃで被載置面１３ａに当接する。このとき、携帯電話機の重心位置Ｇは支持点１４Ａ〜１４Ｃを結ぶ略三角形の領域ａの内側に位置されているため、電話機は安定して被載置面１３ａに支持される。
【００２０】
また、この状態から着信等によって振動器１２のモータ１２ａが駆動されると、振動器１２が支持点１４Ａ〜１４Ｃを結ぶ領域ａの外側位置において振動するため、その振動は筐体１を傾動させるモーメントとして作用し、支持点１４Ａ〜１４Ｃが被載置面１３ａを大きく叩くようになる。したがって、このとき携帯電話機がマナーモードになっていても、着信等を確実にユーザーに知らせることができる。
【００２１】
特に、この実施形態の携帯電話機は、支持点１４Ａ〜１４Ｃを結ぶ領域ａの外側位置のうちでも、重心位置Ｇと支持点１４ｃとを通る平面上（本実施形態では、重心位置Ｇを中心として第３支持点１４Ｃとほぼ対称となる位置）に振動器１２（モータ１２ａ）が配置されているため、第１，第２支持点１４Ａ，１４Ｂを支点に第３支持点１４Ｃを大きく上下に揺らし、被載置面１３ａとの間で大きな振動音を発することができる。
【００２２】
以上のようにこの携帯電話機は、支持点１４Ａ〜１４Ｃと振動器１２の配置の工夫によって筐体１を効率良くより大きく振動させることができるため、モータ１２ａの出力を抑え、それによって消費電流の低減を図ることができる。
【００２３】
なお、この発明は上記実施形態に限定されるものではなく、その要旨を逸脱しない範囲で種々の設計変更が可能である。例えば、以上ではストレートタイプの筐体構造の携帯電話について説明したが、この発明は、折り畳みタイプやスライドタイプ、水平回転タイプ等の他の筐体構造の携帯電子機器にも適用することができる。また、以上の実施形態では、筐体１に３つの支持点１４Ａ〜１４Ｃを設けているが、支持点は３つに限るものでなく複数であればその数は任意である。
【図面の簡単な説明】
【００２４】
【図１】この発明の一実施形態を示す携帯電話機を前面側から見た斜視図。
【図２】同実施形態の携帯電話機を裏面側から見た斜視図。
【図３】同実施形態の携帯電話機の背面図。
【図４】同実施形態の携帯電話機を、裏面を上にして見た正面図。
【図５】同実施形態の携帯電話機を被載置面に置いた状態を示す右側面図。
【図６】同実施形態の携帯電話機の図４のＡ−Ａ断面に対応する断面図。
【符号の説明】
【００２５】
１  筐体
１２  振動器
１３ａ  被載置面
１４Ａ  第１の支持点（支持点）
１４Ｂ  第２の支持点（支持点）
１４Ｃ  第３の支持点（支持点）
ａ  支持点を結ぶ領域
【図１】
2006115302.tif 000003
【図２】
2006115302.tif 000004
【図３】
2006115302.tif 000005
【図４】
2006115302.tif 000006
【図５】
2006115302.tif 000007
【図６】
2006115302.tif 000008